(57)【要約】【課題】シンプルな構造のコンクリート架台を採用することで、設置時間及び設置コスト・労力を軽減する。【解決手段】複数の部材４、５から組立分解可能に形成され、周状の側壁を備え、上端及び下端が開口状のコンクリート型枠と、コンクリート型枠の上端に取り外し可能に設けられる帯状部６と、帯状部６に形成された少なくとも１つの立ち上がり片６２とを有するコンクリート型枠用補助材Ｆと、立ち上がり片６２に取り外し可能に設けられたプレート８と、からなり、プレート８は立ち上がり片６２に取り付けられた時に、立ち上がり片６２に当接する上側部位と、帯状部６を越えて、コンクリート型枠の上端よりも下方に延びる下側部位とからなる。【選択図】図２
2019088172.tif 000002
【特許請求の範囲】
【請求項１】
複数の部材から組立分解可能に形成され、周状の側壁を備え、上端及び下端が開口状のコンクリート型枠と、
前記コンクリート型枠の上端に当該上端の開口を架け渡すように取り外し可能に設けられる帯状部と、前記帯状部に形成された少なくとも１つの立ち上がり片とを有するコンクリート型枠用補助材と、
上側部位と下側部位とからなり、前記上側部位を介して前記立ち上がり片に取り外し可能に設けられ、前記下側部位は前記帯状部を越えて前記コンクリート型枠の上端よりも下方に延びる、プレートと、
からなる、太陽光発電パネルの架台用コンクリート型枠組立体。
【請求項２】
前記立ち上がり片は、前記帯状部に対向状に形成されており、
前記プレートは、前記対向状の立ち上がり片を挟むように対向状に設けられる２枚のプレートである、
請求項１に記載の太陽光発電パネルの架台用コンクリート型枠組立体。
【請求項３】
前記帯状部は、第１の方向に延びる第１帯状部と第２の方向に延びる第２帯状部とからなり、
前記帯状部は、前記第１帯状部の少なくとも一端、及び、前記第２帯状部の少なくとも一端において、前記コンクリート型枠の上端に着脱可能に装着され、
前記立ち上がり片は、前記第１帯状部あるいは前記第２帯状部に形成されている、
請求項１、２いずれか１項に記載の太陽光発電パネルの架台用コンクリート型枠組立体。
【請求項４】
前記立ち上がり片及び前記プレートの上側部位には、螺子の軸部が通る孔が形成されており、
前記立ち上がり片と前記プレートの上側部位は、前記孔を通る螺子を用いて着脱可能に連結されている、
請求項１〜３いずれか１項に記載の太陽光発電パネルの架台用コンクリート型枠組立体。
【請求項５】
前記プレートの上側部位にはパネルを支持するフレームを取り付けるための孔が形成されており、下側部位には孔が形成されている、
請求項１〜４いずれか１項に記載の太陽光発電パネルの架台用コンクリート型枠組立体。
【請求項６】
請求項１〜５いずれか１項に記載のコンクリート型枠組立体を用いた施工法であって、
前記コンクリート型枠組立体を設置する工程と、
前記コンクリート型枠内にコンクリートを打設する工程であって、前記プレートの下側部位を前記コンクリートに埋設する工程と、
コンクリート硬化後に、前記プレートを残して、前記コンクリート型枠用補助材及び前記コンクリート型枠を取り外し、上面に前記プレートの上側部位が取付片として突設されたコンクリートブロックを得る工程と、
を備えた太陽光発電パネルの架台の施工法。
【請求項７】
第１の方向に延び、長さ方向両端の少なくとも一方に係止片が形成された第１帯状部と、
前記第１帯状部から第２の方向に延び、先端に係止片が形成された少なくとも１本の第２帯状部と、
前記第１帯状部に形成された少なくとも１つの立ち上がり片と、
前記立ち上がり片に形成された孔と、  
を備えた、コンクリート型枠用補助材。  
【発明の詳細な説明】
【技術分野】
【０００１】
本発明は、太陽光発電パネルの架台用コンクリート型枠組立体及び当該型枠組立体を用いた架台の施工法に関するものである。
【背景技術】
【０００２】
いわゆる野立て太陽光発電システムは、地上の架台に設置した太陽光発電パネルを用いて太陽光発電を行うものである。野立て太陽光発電システムの架台基礎としてはコンクリート基礎、コンクリート置き基礎やスクリュー杭基礎が知られているが、広大な敷地にコンクリート基礎工事を行うとなると施工が大がかりになってしまい、また、スクリュー杭基礎の場合、重機が入れない場所での施工ができないという不具合がある。したがって、コンクリート置き基礎を用いた架台が採用される場合が多い。
【０００３】
特許文献１には、ソーラーパネルを野外に独立した状態で簡易かつ安価に設置することができるパネル支持装置が開示されており、当該支持装置は、細長い支柱状のコンクリート製の基材と、基材に埋め込むように固定された複数の締結部（アンカーボルト）と、締結部に連結支持される連結部材を備え、連結部材によってソーラーパネルを支持している。
【０００４】
特許文献２は、太陽電池パネルを地上に設置する場合の基礎に関するものであり、複数本のプレキャストコンクリートの棒状部材を組み合わせて構成された基礎体が開示されており、棒状部材の上面にはネジ軸（アンカーボルト）が突設されており、ネジ軸を用いて支柱を立設している。
【０００５】
特許文献３には、ソーラーパネル用基礎架台の型枠が開示されており、当該型枠に生コンを打ち込み、形成・養生させた後、型枠を外してソーラーパネル用基礎架台を生産し、当該基礎架台を、上面が水平となるようにその一部を地面に埋設し、アンカーボルトを当該基礎架台に埋め込み、アンカーボルトに架台を取り付け、その架台にソーラーパネルを固定している。
【特許文献１】実用新案登録第３１８６０６８号
【特許文献２】特許第５６２８２２９号
【特許文献３】特許第５４６５８０８号
【発明の開示】
【発明が解決しようとする課題】
【０００６】
本発明は、太陽光発電パネルを設置するにあたり、シンプルな構造のコンクリート架台を採用することで、設置時間及び設置コスト・労力を軽減することを目的とするものである。
【課題を解決するための手段】
【０００７】
本発明が採用した技術手段は、
複数の部材から組立分解可能に形成され、周状の側壁を備え、上端及び下端が開口状のコンクリート型枠と、
前記コンクリート型枠の上端に当該上端の開口を架け渡すように取り外し可能に設けられる帯状部と、前記帯状部に形成された少なくとも１つの立ち上がり片とを有するコンクリート型枠用補助材と、
上側部位と下側部位とからなり、前記上側部位を介して前記立ち上がり片に取り外し可能に設けられ、前記下側部位は前記帯状部を越えて前記コンクリート型枠の上端（より具体的には、打設されるコンクリート上面の設定高さ位置）よりも下方に延びる、プレートと、
からなる、太陽光発電パネルの架台用コンクリート型枠組立体、である。
【０００８】
１つの態様では、前記プレートの上側部位は、前記立ち上がり片に当接ないし近接している。
１つの態様では、前記立ち上がり片は、前記帯状部に対向状に形成されており、
前記プレートは、前記対向状の立ち上がり片を挟むように対向状に設けられる２枚のプレートである。
１つの態様では、前記２枚のプレートは、上側部位を各立ち上がり片に重ね合わせて当該立ち上がり片に対向状に取り外し可能に設けられている。
【０００９】
１つの態様では、前記帯状部は、第１の方向に延びる第１帯状部と第２の方向に延びる第２帯状部とからなり、
前記帯状部は、前記第１帯状部の少なくとも一端、及び、前記第２帯状部の少なくとも一端において、前記コンクリート型枠の上端に着脱可能に装着され、
前記立ち上がり片は、前記第１帯状部あるいは前記第２帯状部に形成されている。
１つの態様では、コンクリート型枠の上端、コンクリート型枠用補助材のいずれか一方には係止部、他方には被係止部が形成されており、前記係止部と前記被係止部は上下方向に係脱可能となっており、コンクリート型枠用補助材は上方からコンクリート型枠に載置することで当該コンクリート型枠に係止し、コンクリート型枠に対して上方に移動させることで取り外し可能となっている。
１つの態様では、第１帯状部の端部、第２帯状部の端部に垂下状の係止片（係止部）を形成し、コンクリート型枠用補助材は、コンクリート型枠に上方から載置するだけで当該コンクリート型枠の上端に着脱可能に係止する。
なお、係止部と被係止部の組み合わせは、係止凸部と被係止孔ないし凹部であってもよい。
コンクリート型枠用補助材をコンクリート型枠に対して迅速かつ簡単に着脱させるには、コンクリート型枠用補助材をコンクリート型枠に対して取り外し可能に設ける手段は「係止」が有利であるが、本発明は「係止」に限定されるものではなく、嵌合、螺子止め等の他の手段であってもよい。
１つの態様では、前記帯状部は、第１の方向に延びる第１帯状部と、前記第１帯状部から第２の方向に延びる２本の第２帯状部とからなり、
前記第１帯状部の両端の一方あるいは両方が前記コンクリート型枠の上端に着脱可能に装着され、
前記第２帯状部の先端が前記コンクリート型枠の上端に着脱可能に装着され、
前記立ち上がり片は、前記第１帯状部に形成されている。
１つの態様では、前記第１帯状部の長さ方向の少なくとも一方の端部には前記コンクリー型枠の上端に係止する係止片が形成され、前記第２帯状部の先端には前記コンクリート型枠の上端に係止する係止片が形成されている。
１つの態様では、前記立ち上がり片は、前記第１帯状部の長さ方向中央に対向状に形成されており、
前記第２帯状部は、前記第１帯状部から前記立ち上がり片を挟んで平行状に延びている。
前記帯状部の形状は、上記に限定されず、例えば、第１帯状部と第２帯状部から平面視Ｌ形状に形成されてもよく、あるいは、第１帯状部と第２帯状部から平面視十字状に形成されてもよい。
【００１０】
１つの態様では、前記側壁は平面視方形状であり、コンクリート型枠は直方体状である。
１つの態様では、前記コンクリート型枠は、平面視長手方向と短手方向を備え、
前記第１帯状部は短手方向に延び、前記第２帯状部は長手方向に延び、
前記立ち上がり片は、前記第１帯状部の長さ方向中央に形成されており、
前記第２帯状部は、前記第１帯状部から前記立ち上がり片を挟んで平行状に延びる。
後述する実施形態では、コンクリート型枠は平面視長方形状であるが、コンクリート型枠の形状は平面視長方形に限定されるものではなく、例えば、平面視円形、正方形、楕円形等であってもよい。
【００１１】
１つの態様では、前記立ち上がり片及び前記プレートの上側部位には、螺子の軸部が通る孔が形成されており、
前記立ち上がり片と前記プレートの上側部位は、前記孔を通る螺子を用いて着脱可能に連結されている。
前記プレートは、水平状に延びる螺子の軸部を介して立ち上がり片に対して吊持されるように取り付けられる。
後述する実施形態では、前記プレートと前記立ち上がり片は、螺子（ボルト）とナットによって連結されており、下側部位が打設されたコンクリートに埋設された当該プレートの上側部位に対して前記立ち上がり片が取り外し可能となっている。
１つの態様では、前記プレートの上側部位にはパネルを支持するフレームを取り付けるための孔が形成されており、下側部位には少なくとも１つの孔が形成されている。
１つの態様では、上側部位に設けられたフレームを取り付けるための孔は、水平方向に延びる長孔である。
上側部位に設けられたフレームを取り付けるための孔は、プレートを立ち上がり片に取り付ける際の螺子が通る孔と兼用してもよい。
下側部位に設けられた前記少なくとも１つの孔は、打設されたコンクリートに対するアンカーとして機能する。
プレートの下側部位に形成されたアンカーは、孔には限定されず、アンカーは、突起や凹凸等であってもよい。
【００１２】
本発明が採用した他の技術手段は、前記コンクリート型枠組立体を用いた施工法であって、
前記コンクリート型枠組立体を設置する工程と、
前記コンクリート型枠内にコンクリートを打設する工程であって、前記プレートの下側部位を前記コンクリートに埋設する工程と、
コンクリート硬化後に、前記プレートを残して、前記コンクリート型枠用補助材及び前記コンクリート用型枠を取り外し、上面に前記プレートの上側部位が取付片として突設されたコンクリートブロックを得る工程と、
を備えている。
１つの態様では、前記施工法は、さらに、
少なくとも２つのコンクリートブロックを離間させて設置する工程と、
前記２つのコンクリートブロック間に長尺状のフレームを架け渡し、前記取付片に取り付ける工程を備えている。
【発明の効果】
【００１３】
本発明は、コンクリート型枠とコンクリート型枠用補助材とプレートからなるコンクリート型枠組立体を用いることで、コンクリート架台の製作と同時に、コンクリート架台の上面の所定部位に取付片を形成することができ、取付片に直接支持フレーム等の部材を取付けることができるので、コンクリートブロック上面に突設したアンカーボルトに取付金具や構造部材を設けるような場合に比べて、施工工程や施工の手間を削減することができ、太陽光発電パネルの設置において、設置時間及び設置コスト・労力を軽減することができる。
また、コンクリート型枠組立体において、組立て分解可能なコンクリート型枠やコンクリート型枠用補助材は、再利用可能であり、型枠費のコスト削減が可能である。
【図面の簡単な説明】
【００１４】
【図１】本実施形態に係る施工法を用いて施工された太陽光発電パネルの架台の斜視図、及び、当該架台に取り付けられた太陽光発電パネルの斜視図である。
【図２】本実施形態に係るコンクリート用型枠組立体の斜視図である。
【図３】本実施形態に係る型枠の第１要素、第２要素の斜視図である。
【図４】本実施形態に係る型枠組立体の第３要素の斜視図である。
【図５】（Ａ）本実施形態に係る型枠組立体の第３要素に取り外し可能に取り付けられるプレート、及び、プレートを取り付けるためのボルトを示す。（Ｂ）本実施形態に係る型枠の第１要素と第２要素を組み立て分解可能に連結するためのボルトとナットを示す。
【図６】本実施形態に係る施工法において、型枠の第１要素の設置を説明する図である。本実施形態では、パネルの低い側の地面を所定深さまで掘削して、第１要素を設置する。
【図７】位置決めして置かれた第１要素に対して、第２要素、第３要素を取り付けて型枠組立体を組み立てる工程を示す図である。
【図８】第３要素の立ち上がり片に対するプレートの取り付けを説明する図である。
【図９】所定の場所に設置された型枠組立体に、上方の開口からコンクリートを打設する工程を説明する図である。
【図１０】コンクリート養生後に、第１要素から第２要素、第３要素を取り外してコンクリート架台を得る工程を説明する図である。
【図１１】コンクリート架台に対してフレームを取り付ける工程を説明する図である。
【図１２】コンクリート架台とフレームからなる架台に太陽光発電パネルを取り付けた状態を示す斜視図である。
【発明を実施するための形態】
【００１５】
本実施形態は、野立て太陽光発電システムの架台の施工に用いるコンクリート型枠及び型枠用補助材に関する。図１に示すように、太陽光発電パネルの設置現場には、所定距離だけ離間して直方体状のコンクリート架台１Ａ、１Ｂが設置される。コンクリート架台１Ａ、１Ｂは、風による引き抜き等に耐え得る重量、押し込みに耐え得る基礎底面の面積を備える。本実施形態では、コンクリート架台１Ａ、１Ｂは同形・同寸の部材であるが、コンクリート架台１Ｂは、下方部位が地中に埋設されており、コンクリート架台１Ａの上面はコンクリート架台１Ｂの上面よりも高い位置にある。なお、高さの異なるコンクリート型枠を用意して、異なる高さのコンクリート架台を製作してもよい。
【００１６】
コンクリート架台１Ａ、１Ｂは、平面視において、長手方向と短手方向を備えた直方体状のコンクリートブロックであり、コンクリート架台１Ａ、１Ｂの上面には、長手方向両端部に近い側に位置して、一対の対向状の取付片８´がそれぞれ形成されている。各取付片８´は、コンクリート架台１Ａ、１Ｂの短手方向に平行状に延びる板状の垂直片である。後述するように、取付片８´は、下側部位がコンクリート架台１Ａ、１Ｂに埋設されたプレート８の上側部位からなる。
【００１７】
コンクリート架台１Ａ、１Ｂの取付片８´に支持フレーム２を取り付けるようになっており、コンクリート架台１Ａ、１Ｂ間に架け渡すように２本のフレーム２が傾斜姿勢で平行状に取り付けられている。平行する傾斜状のフレーム２に太陽光発電パネル３が支持される。フレーム２は断面視コ字形状の長尺部材である。本実施形態では、フレーム２は鉄骨フレームであり、表面に溶融亜鉛めっきが施されている。鉄骨フレームはコスト面、強度面で、アルミフレームに対して有利であるが、本発明におけるフレーム２の材料は限定されず、例えばアルミフレームであってもよい。
【００１８】
コンクリート架台１Ａ、１Ｂは、組立分解可能のコンクリート型枠組立体Ｆを用いてコンクリートを打設することによって得られる。図２に示すように、型枠組立体Ｆは、平面視Ｌ形状の第１要素４と、平面視Ｌ形状の第２要素５とから組立分解可能に組み立てられる直方体状のコンクリート型枠と、コンクリート型枠の上面に取り外し可能に設けられるコンクリート型枠用補助材６と、コンクリート型枠用補助材６に取り外し可能に設けられたプレート８と、からなる。コンクリート型枠は第１要素４と第２要素５からなる閉鎖状の四周壁を備え、上端及び下端が開口状となっており、上端の開口から型枠内部にコンクリートを打設するようになっている。
【００１９】
図３に示すように、第１要素４は、垂直状の第１壁４０と第２壁４１とから平面視Ｌ形状を有しており、平面視において第１壁４０が長辺、第２壁４１が短辺となっている。第１要素４は平面視Ｌ形状で水平状の上辺４２と下辺４３を備えており、上辺４２は、第１壁４０の上端の第１部分４２０と第２壁４１の上端の第２部分４２１とからなる。上辺４２には垂下状の周縁が形成されている。第２壁４１の端部には垂直状の端片４４が形成されており、端片４４には高さ方向に間隔を存して複数（図示の態様では３つ）の取付孔４４０が形成されている。第１壁４０の端部には高さ方向に間隔を存して複数（図示の態様では３つ）の取付孔４００が形成されている。第１壁４０には上辺４２と下辺４３間で高さ方向に延びる補強材（図示せず）が設けてある。
【００２０】
図３に示すように、第２要素５は、垂直状の第１壁５０と第２壁５１とから平面視Ｌ形状を有しており、平面視において第１壁５０が長辺、第２壁５１が短辺となっている。第２要素５は平面視Ｌ形状で水平状の上辺５２と下辺５３を備えており、上辺５２は、第１壁５０の上端の第１部分５２０と第２壁５１の上端の第２部分５２１とからなる。上辺５２には垂下状の周縁が形成されている。第２壁５１の端部には垂直状の端片５４が形成されており、端片５４には高さ方向に間隔を存して複数（図示の態様では３つ）の取付孔５４０が形成されている。第１壁５０の端部には高さ方向に間隔を存して複数（図示の態様では３つ）の取付孔５００が形成されている。第１壁５０には上辺５２と下辺５３間で高さ方向に延びる補強材５５が設けてある。
【００２１】
第１要素４と第２要素５は、第２要素５の端片５４を第１要素４の第１壁４０の端部に当接させた時に、取付孔５４０と取付孔４００が一致し、第１要素４の端片４４を第２要素５の第２壁５０の端部に当接させた時に、取付孔４４０と取付孔５００が一致するようになっており、取付孔５４０、４００、取付孔４４０、５００を通るボルト７Ａと、ナット７Ｂを用いて直方体状に組み立てられる。第１要素４と第２要素５を連結して得られた型枠は平面視方形状の型枠で、上方及び下方が開口状の直方体状ないし箱状の型枠である。組み立てられた型枠を分解する時には、ボルト７Ａに対してナット７Ｂを緩めて取り外し、ボルト７Ａを取付孔５４０、４００、取付孔４４０、５００から引き抜くことで、型枠を第１要素４と第２要素５に分解することができる。
【００２２】
コンクリート型枠用補助材６は、コンクリート架台上に取付片８´を形成するプレート８を位置決めして設けるためのセッティングバーである。図２に示すように、２つのコンクリート型枠用補助材６が、型枠の長手方向の両側に位置して取り付けられる。図４に示すように、コンクリート型枠用補助材６は、第１の方向に延びる水平状の第１帯状部６０と、第１帯状部６０から第２の方向（第１の方向に対して直角方向）に延びる水平状の２本の第２帯状部６１を備えている。第１帯状部６０の長さ方向中央部位には立ち上がり片６２が対向状に形成されており、２本の第２帯状部６１は、立ち上がり片６２の両側に位置して第２の方向に延びている。第１帯状部６０の長さ方向両端には、係止片６００、６０１がそれぞれ垂下状に形成されている。第２帯状部６１の長さ方向先端には、係止片６１０が垂下状に形成されている。立ち上がり片６２には、幅方向中央に位置して取付孔である第１孔６２０が形成されており、第１孔６２０の上方に位置して長孔状の第２孔６２１が形成されている。第２孔６２１は、コンクリート型枠用補助材６を掴む際の掴み部をして機能するものであり、任意要素である。本実施形態では、第１帯状部６０が第２帯状部６１に対して幅広であるが、これには限定されない。
【００２３】
２つのコンクリート型枠用補助材６が、第１の方向を型枠の短手方向、第２の方向を型枠の長手方向として、型枠の上端に取り外し可能に取り付けられる。コンクリート型枠用補助材６を型枠の上端に取り付けた状態で、第１帯状部６０は型枠の上端の開口を短手方向に横切るように当該型枠の側壁（長辺）４０、５０間で水平に延びており、第２帯状部６１は、第１帯状部６１から型枠の上端の開口を当該型枠の側壁（短辺）４１、５１の近い方に向かって長手方向に水平に延びている。
【００２４】
第１帯状部６０の一方の端部の係止片６００が第２要素５の上辺５２の第１部分５２０あるいは第１要素４の上辺４２の第１部分４２０に係止し、他方の端部の係止片６０１が第１要素４の上辺４２の第１部分４２０あるいは第２要素５の上辺５２の第１部分５２０に係止する。すなわち、第１帯状部６０の長さ寸法は、コンクリート型枠の上端の開口の短手寸法と略同じであり、第１帯状部６０を型枠の上端に上方から下方に向かって載置した時に、長さ方向両端の係止片６００、６０１が上辺５２の第１部分５２０の垂下状の縁部、上辺４２の第１部分４２０の垂下状の縁部に係止するようになっている。立ち上がり片６２を、予め第１帯状部６０の長さ方向の所定部位に形成しておくことで、型枠の短手方向における立ち上がり片６２の位置決めがなされる。一対の立ち上がり片６２間の間隔は、本実施形態では、第１帯状部６０の幅寸法によって決定され、一対の立ち上がり片６２間の間隔によって一対の取付片８´の間隔が決定される。
【００２５】
第２帯状部６１は、第１帯状部６１から型枠の上端の開口を第２要素５の上辺５２の第２部分５２１あるいは第１要素４の上辺４２の第２部分４２１に向かって当該型枠の長手方向に水平に延びており、先端の係止片６１０が第２要素５の上辺５２の第２部分５２１あるいは第１要素４の上辺４２の第２部分４２１に係止する。第２帯状部６１の長さ寸法を予め所定の長さに形成しておくことで、型枠の長手方向における立ち上がり片６２の位置決めがなされる。
【００２６】
図５に示すように、プレート８は、縦長方形状の本体８０を備え、本体８０の高さ方向中央よりも上方には第１孔８００が形成されており、第１孔８００の上方に位置して長孔状の第２孔８０１が形成されており、本体８０の下端に近い位置に長孔状の第３孔８０２が形成されている。第１孔８００及び第２孔８０１は、プレート８の上側部位に形成されており、第３孔８０２は、プレート８の下側部位に形成されている。
【００２７】
コンクリート型枠用補助材６の一対の立ち上がり片６２のそれぞれにプレート８が垂直姿勢で取り外し可能に取り付けられる。図８に示すように、一方のプレート８の上側部位を、一方の立ち上がり片６２の外面に当接させ、他方のプレート８の上側部位を、他方の立ち上がり片６２の外面に当接させる。この時、２枚のプレート８の第１孔８００と一対の立ち上がり片６２の第１孔６２０を一致させ、水平方向に一致する第１孔８００、６２０を挿通するようにボルト９の軸部９１を差し込む。軸部９０の先端（ボルト９の頭部９０と反対側）には雌ネジ９１０が形成されており、雌ネジ９１０にナット（図示せず）を螺合し、ナットを締めることで、頭部９０とナット間で重なり合ったプレート８と立ち上がり片６２を固定する。プレート８の下側部位は、第１帯状部６０を越えて下方に延びている。ナットを緩めてボルト９の軸部９１を引き抜くことで、プレート８に対してコンクリート型枠用補助材６を垂直状に上方に移動可能となっている。
【００２８】
図６〜図１２を参照しつつ、施工工程について説明する。図６に示すように、地上の所定位置に間隔を設けて型枠の第１要素４、４を配置する。典型的には、一方の第１要素４が置かれる部位（太陽光発電パネルの低い側）を掘削して低地にして当該第１要素４を配置する。図７に示すように、各第１要素４に対して、第２要素５をそれぞれ取り付けて直方体状の型枠を形成する。型枠の上端には、型枠の長手方向の両端に近い側に位置して一対のコンクリート型枠用補助材６が着脱可能に取り付けられる。
【００２９】
図８に示すように、型枠に取り付けられたコンクリート型枠用補助材６の対向状の立ち上がり片６２には、２枚のプレート８が垂直状に対向して取り外し可能に設けられる。プレート８の上側部位には第１孔８００、第２孔８０１が形成されており、当該上側部位を、立ち上がり片６２に重なるように当接させる。プレート８の下側部位には第３孔８０２が形成されており、当該下側部位は、コンクリート型枠用補助材６の第１帯状部６０よりも下方に延びており、かつ、下側部位の第３孔８０２を含む部位は、打設されるコンクリートの上面よりも下方に位置している。
【００３０】
現場にコンクリート型枠組立体（第１要素４、第２要素５からなるコンクリート型枠、コンクリート型枠用補助材６、プレート８）が設置された後に、コンクリート型枠組立体の上方の開口からコンクリートＣを打設し、コンクリート表面を平面に均す。この時、プレート８の下側部位はコンクリートＣ内に埋設されており、プレート８の上側部位はコンクリートＣの上面よりも上方に突出している。コンクリートＣ内に埋設されたプレート８の下側部位にはアンカーとして機能する第３孔８０２が形成されているので、プレート８の下側部位は強固にコンクリートＣに固定される。
【００３１】
図１０に示すように、打設したコンクリートを養生し、硬化した後に、下側部位がコンクリートに埋設されたプレート８を残して、コンクリート型枠の上端に取り付けたコンクリート型枠用補助材６を上方に垂直状に持ち上げて取り外し、当該型枠を構成する第１要素４と第２要素５を分解してコンクリートブロックから取り外すことで、上面の所定部位に対向状の取付片８´が形成された直方体状のコンクリート架台１Ａ、１Ｂを得る。
【００３２】
図１１に示すように、コンクリート架台１Ａ、１Ｂ間に架け渡すように、コンクリート架台１Ａ、１Ｂの各一対の取付プレート８´にフレーム２を傾斜姿勢で取り付ける。本実施形態では、フレーム２は上面２０と側面２１から断面視コ字形状を有し、側面２１にはボルト（図示せず）の軸部の取付孔２１０が形成されている。フレーム２の上面２０の幅寸法は、対向状の取付プレート８´間の寸法に対応しており、一対の取付プレート８´間にフレーム２を挿入し、取付プレート８´の第２孔８０１、側面２１の取付孔２１０、取付プレート８´の第２孔８０１にボルト（図示せず）の軸部を貫通させ、軸部に反対側からナットを締めることで、取付片８´にフレーム２を固定する。
【００３３】
図１２に示すように、コンクリート架台１Ａ、１Ｂ間で平行状かつ傾斜状に延びる２本のフレーム２に対して太陽光発電パネル３を取り付ける。フレーム２の上面２０には、長さ方向に間隔を存して複数の取付孔２００が形成されており、取付孔２００にボルトとナットを用いて、例えばハット型金物、Ｚ型金物等の取付部材（図示せず）を取り付け、当該取付部材を用いて太陽光発電パネル３を取り付ける。フレーム２に対する太陽光発電パネル３の具体的な取り付けについては、当業者において様々な手法が採り得ることが理解され、詳細な説明は省略する。
【００３４】
本実施形態に係るコンクリート型枠は、第１要素４と第２要素５に分解することができ、可搬性に優れ、機動性、汎用性が高く、施工場所の制限が緩和されるため、設置場所を選ばない汎用性の高いシステムを提供する。また、専用型枠である第１要素４、第２要素５、及び、コンクリート型枠用補助材６は再利用可能であり、型枠費の削減が可能である。また、一人での作業も可能であり、人件費を削減することができる。
【００３５】
本実施形態に係るコンクリート型枠組立体（特に、コンクリート型枠用補助材６）を用いることで、コンクリート架台１Ａ、１Ｂの製作と同時に、コンクリート架台１Ａ、１Ｂの上面の所定部位に取付片８´を形成することができ、コンクリートブロック上面に突設したアンカーボルトに取付金具や構造部材を設けるような場合に比べて、施工工程を削減することができる。本実施形態に係るコンクリート型枠組立体を用いて得られるコンクリート架台１Ａ、１Ｂは、直方体の上面の所定部位に対向状の取付片８´が形成されたシンプルな構造のコンクリートブロックである。本実施形態では、太陽光発電パネルを傾斜姿勢で支持するための従来の支持構造における構造部材（特許文献１における連結部材２５、２６、特許文献２における支柱２１、特許文献３における架台８）を基礎部分（コンクリート架台１Ａ、１Ｂ）で兼用しており、そして、コンクリート架台１Ａ、１Ｂの上面の取付片８´間に支持フレーム２を傾斜姿勢で取り付けて、この支持フレーム２を用いて太陽光発電パネル３を取り付けるようにしたので、簡単施工が実現され、施工期間の短縮及びコスト・労力の削減を可能とするものである。
【符号の説明】
【００３６】
１Ａ、１Ｂ  コンクリート架台
２  フレーム
３  太陽光発電パネル
４  コンクリート型枠の第１要素
５  コンクリート型枠の第２要素
６  コンクリート型枠用補助材
６０  第１帯状部
６００  係止片
６０１  係止片
６１  第２帯状部
６１０  係止片
６２  立ち上がり片
６２０  第１孔
６２１  第２孔
７Ａ  ボルト
７Ｂ  ナット
８  プレート
８０  本体
８００  第１孔
８０１  第２孔
８０２  第３孔
９  ボルト
Ｃ  コンクリート
Ｆ  コンクリート型枠組立体
【図１】
2019088172.tif 000003
【図２】
2019088172.tif 000004
【図３】
2019088172.tif 000005
【図４】
2019088172.tif 000006
【図５】
2019088172.tif 000007
【図６】
2019088172.tif 000008
【図７】
2019088172.tif 000009
【図８】
2019088172.tif 000010
【図９】
2019088172.tif 000011
【図１０】
2019088172.tif 000012
【図１１】
2019088172.tif 000013
【図１２】
2019088172.tif 000014